(57)【要約】      （修正有）【課題】  簡便且つ低コストで画像出力時に不正複写防止処理を行う画像形成装置を提供する。【解決手段】  インク塗布手段３０は、不正複写防止処理の実行が入力された場合、定着部１４を通過した用紙２１の画像面の所定位置に色インクを塗布して複写防止領域３１を形成する。画像形成部Ｐにおいて用紙２１上に形成され、定着部１４において定着された画像は、複写防止領域３１を介して視認可能であり、且つ画像をモノクロ複写した場合は複写防止領域３１内の画像が複写防止領域３１と識別不能に出力される。【選択図】      図２
2006010721.tif 000002
【特許請求の範囲】
【請求項１】
画像データを入力するデータ入力手段と、該データ入力手段により入力された画像データを書き込みデータに変換するデータ変換手段と、前記書き込みデータに基づいて用紙上に画像を出力する画像形成手段と、を備えた画像形成装置において、
出力される画像に不正複写防止処理を実行するか否かを入力する入力手段と、前記画像形成手段による画像出力前若しくは画像出力後の用紙上に色インクを塗布するインク塗布手段と、が設けられており、
前記入力手段より不正複写防止処理の実行が入力された場合、前記インク塗布手段は、インク層に重なる画像が視認可能であり、且つモノクロ複写時には識別不能に出力される所定色から成る複写防止領域を形成することを特徴とする画像形成装置。
【請求項２】
前記画像形成手段は、感光体と、該感光体を帯電させる帯電装置と、前記帯電装置により帯電された前記感光体表面を露光して静電潜像を形成する露光装置と、前記静電潜像を現像してトナー像を形成する現像装置と、を備えた画像形成部と、該画像形成部により形成されたトナー像を用紙上に転写する画像転写部と、該画像転写部により転写された画像を用紙上に定着する定着部と、から成り、前記インク塗布手段は、前記定着部により画像が定着された用紙上に色インクを塗布することを特徴とする請求項１に記載の画像形成装置。
【請求項３】
前記インク塗布手段は、インクジェット装置であることを特徴とする請求項１又は請求項２に記載の画像形成装置。
【請求項４】
前記所定色に対して識別可能であり、且つモノクロ複写時には前記所定色と識別不能に出力されるような補色データを記憶する記憶手段が設けられており、前記データ変換手段は、前記複写防止領域内に存在する前記所定色と同系色の画像データを、画像出力前に前記補色データに変換することを特徴とする請求項１乃至請求項３のいずれかに記載の画像形成装置。
【請求項５】
画像データを入力するデータ入力手段と、該データ入力手段により入力された画像データを書き込みデータに変換するデータ変換手段と、前記書き込みデータに基づいて用紙上にカラー画像を出力する画像形成手段と、を備えた画像形成装置において、
出力される画像に不正複写防止処理を実行するか否かを入力する入力手段と、所定色に対して識別可能であり、且つモノクロ複写時には前記所定色と識別不能に出力されるような補色データを記憶する記憶手段と、が設けられており、
前記入力手段より不正複写防止処理の実行が入力された場合、前記画像形成手段は、前記所定色から成る複写防止領域を画像出力と同時に形成するとともに、前記データ変換手段は、前記複写防止領域内に存在する前記所定色と同系色の画像データを、画像出力前に前記補色データに変換することを特徴とする画像形成装置。
【請求項６】
前記データ変換手段は、前記複写防止領域内の全ての画像データを、画像出力前に前記補色データに変換することを特徴とする請求項４又は請求項５に記載の画像形成装置。
【請求項７】
前記複写防止領域は、用紙上の１／２以上の領域に形成されることを特徴とする請求項１乃至請求項６のいずれかに記載の画像形成装置。
【発明の詳細な説明】
【技術分野】
【０００１】
本発明は、複写機やプリンタ等の画像形成装置に関し、特に出力された画像の不正複写を抑制する機能に関する。
【背景技術】
【０００２】
近年、複写機の普及により書類の複写が容易に行えるようになっているが、書類が機密書類である場合、不正複写、無断複写により記載された情報が漏洩すると、企業にとって重大な損害となる。従来においては、複写機の使用を制限するか、或いは機密書類の管理を厳密に行うことにより不正複写を防止する方法が採られているが、不正複写を完全に防止することは困難であった。
【０００３】
そこで、機密書類の不正複写を防止するための方法が種々提案されており、例えば特許文献１には、使用された画像形成装置を特定する識別コードを、発色性物質を用いて画像定着後に印字し、不正複写の抑止及び再犯防止を図る方法が開示されている。また、特許文献２には、全面又は部分的に赤外線吸収インクを塗布した特定紙に機密文書を印刷しておき、複写機側で赤外線を照射することにより原稿が特定紙であるか否かを判別し、特定紙である場合は複写を禁止する方法が開示されている。
【０００４】
さらに特許文献３には、機密文書を印刷する際、可読性を損なわない程度に文書中の所定の文字パターンを変換しておき、複写機側で文字パターン変換の有無を検知することにより、機密文書であるか否かを判断して複写の可否を決定する不正複写防止方法が開示されている。
【０００５】
しかしながら、特許文献１の方法では、機密書類を印刷する場合に高価な発色性物質を含むインクを塗布する必要があり、特許文献２の方法では、赤外線吸収インクを塗布した特殊な用紙を用いる必要があるため、いずれも印刷コストが高くなってしまう。また、特許文献３の方法では、文書中の特定の文字パターンを変換するため画像形成装置の制御が複雑なものとなる。さらに、特許文献２、３の方法の場合、複写機側にも複写の可否を判断する特別な検知機能を設けておく必要があるため、不正複写を防止可能な複写機が限定され、且つ高価なものとなるという問題点があった。
【０００６】
【特許文献１】特開平６−５４１６７号公報
【特許文献２】特開平６−２５０５６８号公報
【特許文献３】特開２００１−２５１４９０号公報
【発明の開示】
【発明が解決しようとする課題】
【０００７】
本発明は、上記問題点に鑑み、簡便且つ低コストで画像出力時に不正複写防止処理を行う画像形成装置を提供することを目的とする。
【課題を解決するための手段】
【０００８】
上記目的を達成するために本発明は、画像データを入力するデータ入力手段と、該データ入力手段により入力された画像データを書き込みデータに変換するデータ変換手段と、前記書き込みデータに基づいて用紙上に画像を出力する画像形成手段と、を備えた画像形成装置において、出力される画像に不正複写防止処理を実行するか否かを入力する入力手段と、前記画像形成手段による画像出力前若しくは画像出力後の用紙上に色インクを塗布するインク塗布手段と、が設けられており、前記入力手段より不正複写防止処理の実行が入力された場合、前記インク塗布手段は、インク層に重なる画像が視認可能であり、且つモノクロ複写時には識別不能に出力される所定色から成る複写防止領域を形成することを特徴としている。
【０００９】
また本発明は、上記構成の画像形成装置において、前記画像形成手段は、感光体と、該感光体を帯電させる帯電装置と、前記帯電装置により帯電された前記感光体表面を露光して静電潜像を形成する露光装置と、前記静電潜像を現像してトナー像を形成する現像装置と、を備えた画像形成部と、該画像形成部により形成されたトナー像を用紙上に転写する画像転写部と、該画像転写部により転写された画像を用紙上に定着する定着部と、から成り、前記インク塗布手段は、前記定着部により画像が定着された用紙上に色インクを塗布することを特徴としている。
【００１０】
また本発明は、上記構成の画像形成装置において、前記インク塗布手段は、インクジェット装置であることを特徴としている。
【００１１】
また本発明は、上記構成の画像形成装置において、前記所定色に対して識別可能であり、且つモノクロ複写時には前記所定色と識別不能に出力されるような補色データを記憶する記憶手段が設けられており、前記データ変換手段は、前記複写防止領域内に存在する前記所定色と同系色の画像データを、画像出力前に前記補色データに変換することを特徴としている。
【００１２】
また本発明は、画像データを入力するデータ入力手段と、該データ入力手段により入力された画像データを書き込みデータに変換するデータ変換手段と、前記書き込みデータに基づいて用紙上にカラー画像を出力する画像形成手段と、を備えた画像形成装置において、出力される画像に不正複写防止処理を実行するか否かを入力する入力手段と、所定色に対して識別可能であり、且つモノクロ複写時には前記所定色と識別不能に出力されるような補色データを記憶する記憶手段と、が設けられており、前記入力手段より不正複写防止処理の実行が入力された場合、前記画像形成手段は、前記所定色から成る複写防止領域を画像出力と同時に形成するとともに、前記データ変換手段は、前記複写防止領域内に存在する前記所定色と同系色の画像データを、画像出力前に前記補色データに変換することを特徴としている。
【００１３】
また本発明は、上記構成の画像形成装置において、前記データ変換手段は、前記複写防止領域内の全ての画像データを、画像出力前に前記補色データに変換することを特徴としている。
【００１４】
また本発明は、上記構成の画像形成装置において、前記複写防止領域は、用紙上の１／２以上の領域に形成されることを特徴としている。
【発明の効果】
【００１５】
本発明の第１の構成によれば、画像出力前若しくは画像出力後の用紙上に色インクを塗布するインク塗布手段を設け、不正複写防止処理が入力された場合、インク層に重なる用紙上の画像が視認可能であり、且つモノクロ複写時には識別不能に出力される複写防止領域を形成することにより、特殊な用紙やインクを用いることなく簡便且つ低コストで出力画像に不正複写防止処理を行うことができる。
【００１６】
また、本発明の第２の構成によれば、上記第１の構成の画像形成装置において、画像形成手段が、感光体、帯電装置、露光装置及び現像装置を備えた画像形成部と、トナー像を用紙上に転写する画像転写部と、画像転写部により転写された画像を定着する定着部とから成り、インク塗布手段は、定着部により画像が定着された用紙上に色インクを塗布することにより、電子写真方式の複写機において、形成された画像を損なうことなく不正複写防止処理を行うことができる。
【００１７】
また、本発明の第３の構成によれば、上記第１又は第２の構成の画像形成装置において、インク塗布手段をインクジェット装置としたことにより、用紙上の所定の位置に均質な複写防止領域を形成することができる。
【００１８】
また、本発明の第４の構成によれば、上記第１乃至第３のいずれかの構成の画像形成装置において、所定色に対して識別可能であり、且つモノクロ複写時には所定色と識別不能に出力されるような補色データを記憶する記憶手段を設け、複写防止領域内に存在する所定色と同系色の画像データを補色データに変換して出力することにより、複写防止領域内に存在する同系色の画像や文字の視認性を向上させることができる。
【００１９】
また、本発明の第５の構成によれば、画像形成手段により所定色から成る複写防止領域を画像出力と同時に用紙上に形成する画像形成装置において、所定色に対して識別可能であり、且つモノクロ複写時には所定色と識別不能に出力されるような補色データを記憶する記憶手段を設け、不正複写防止処理が入力された場合、複写防止領域内に存在する同系色の画像データを画像出力前に補色データに変換することにより、複写防止領域を形成する手段を別途設ける必要がなく、装置の構造が簡単なものとなる。さらに、複写防止領域内の画像や文字の視認性をより高めることができる。
【００２０】
また、本発明の第６の構成によれば、上記第４又は第５の構成の画像形成装置において、複写防止領域内の全ての画像データを補色データに変換することにより、モノクロ複写時に複写防止領域が黒つぶれとならない場合でも複写防止領域内の画像が識別不能となるため、不正複写防止効果を確保することができる。
【００２１】
また、本発明の第７の構成によれば、上記第１乃至第６のいずれかの構成の画像形成装置において、複写防止領域を用紙上の１／２以上の領域に形成することにより、不正複写防止効果を確実なものとする。
【発明を実施するための最良の形態】
【００２２】
以下に本発明の実施形態を図面を参照して説明する。図１は、本発明の第１実施形態に係る画像形成装置の全体構成を示す概略図である。図１において、画像形成装置１は、入力される画像データに基づいて転写紙上に画像を出力するタイプのプリンタであり、画像形成装置１では、画像形成動作を行う場合、画像形成部Ｐにおいて、図示しない帯電装置により図中のＡ方向に回転する感光体ドラム５が一様に帯電され、後述するデータ入力手段２５より入力された原稿画像データに基づく露光装置（レーザ走査ユニット等）７からのレーザビームにより感光体ドラム５上に静電潜像が形成され、図示しない現像装置により静電潜像に現像剤（以下、トナーという）が付着されてトナー像が形成される。
【００２３】
上記のようにトナー像が形成された感光体ドラム５に向けて、用紙２１が給紙機構１０から用紙搬送路１１及びレジストローラ対１２を経由して画像形成部Ｐに搬送され、この画像形成部Ｐにおいて転写ローラ４（画像転写部）により感光体ドラム５の表面に形成されたトナー像が用紙に転写される。そして、トナー像が転写された用紙２１は感光体ドラム５から分離され、定着部１４に搬送されてトナー像が定着される。定着部１４を通過した用紙は、複数方向に分岐した用紙搬送路１５に送られて、用紙搬送路１５の分岐点に設けられた複数の経路切換ガイドを有する経路切換機構２２によって搬送方向が振り分けられ、そのまま（或いは、用紙搬送路１６に送られて両面印刷された後に）、排出ローラ対２３及び排出トレイ２４から成る用紙排出部に排出される。
【００２４】
また、図示しないが、感光体ドラム５の表面の残留電荷を除去する除電装置がクリーニング装置１８の下流側に設けられている。給紙機構１０は、画像形成装置１に着脱自在に取り付けられ、用紙搬送路１１によって感光体ドラム５及び露光装置７等からなる画像形成部Ｐに繋がっている。用紙搬送路１５は、具体的には、定着ローラ対１４ａの下流側において二股に分岐し、一方の経路（図１では左方向に分岐する経路）は排出ローラ対２３を介して排出トレイ２４に連通するように構成されている。そして、他方の経路（図１では下方向に分岐する経路）は用紙搬送路１６に連通するように構成されている。
【００２５】
データ入力手段２５は、データ化された所望の画像の画像形成装置内部への取り込みを行う。データ入力手段２５としては、インターネットのウェブサーバ上に蓄積されたデジタル画像やパソコン等の描画アプリケーションで作成された画像を、ネットワークを介して画像形成装置内に取り込むデータ読込手段、或いは写真やイラスト等の原稿画像を画像データとして読み取るスキャナ等の画像読取手段等が用いられる。
【００２６】
データ変換手段２６は、データ入力手段２５により入力された画像データを書き込みデータに変換して露光装置７へ送信する。露光装置７は送信された書き込みデータに基づいて感光体ドラム５上に静電潜像を形成する。この静電潜像に現像装置（図示せず）によりトナーが付着されてトナー像が形成され、給紙機構１０より用紙搬送路１１を介して搬送されてきた用紙２１上に転写される。制御手段２７は、操作パネル２８或いはデータ変換手段２６からの信号に基づき画像形成装置各部の動作を制御する。
【００２７】
操作パネル２８は、ユーザが装置の機能や印刷条件等の設定を入力する操作キーと、設定条件や装置の状態等を表示する表示部（いずれも図示せず）とから構成される。なお、ユーザがパソコン上から印刷条件等の設定を入力するタイプの画像形成装置の場合、操作パネル２８はパソコンの印刷設定画面となる。記憶手段２９は、制御手段２７により用いられる画像形成装置各部の制御プログラムを記憶する。３０はインク塗布手段であり、操作パネル２８から入力される不正複写防止処理の指示に基づき、定着部１４を通過した用紙２１の画像面の所定位置に色インクを塗布して複写防止領域を形成する。
【００２８】
インク塗布手段３０としては、用紙２１の一定面積に色インクを塗布可能な構成であれば特に限定されるものではなく、例えばインク供給装置を備えたフェルト製のペンや用紙搬送方向に回転する塗布ローラ等を用紙搬送路１５に隣接して設け、搬送されてくる用紙２１上に接触させる方式や、インクを細いノズル（オリフィス）から微小な液滴として吐出させ、これを画像信号で制御しながら用紙上に付着させるインクジェット方式の塗布装置が挙げられるが、特にインクジェット装置を用いた場合、用紙上の所望の位置にインク層が均一に塗布された複写防止領域を形成可能となり、インクの塗布むらによる画像の視認性や複写防止効果の低下を防止できるためより好ましい。
【００２９】
インク塗布手段３０により塗布される色インクは、通常の印刷用インクであれば特に制限はないが、インク塗布手段３０により形成される複写防止領域は、画像形成部Ｐにおいて用紙２１上に形成され、定着部１４において定着された画像がインク層を介して視認可能であり、且つモノクロ複写時には視認不可となるように出力されることにより、不正モノクロ複写を防止するものである。このため、用紙２１上の出力画像を完全に隠蔽することなく、且つモノクロ複写時においては黒つぶれとなって出力されるようなものが好ましく、例えば有機染料系のインクが好適である。
【００３０】
複写防止領域が設けられた画像を図２に示す。図２（ａ）に示すように、用紙２１上にはインク塗布手段３０（図１参照）により縦縞状の複写防止領域３１が形成されている。このとき、複写防止領域３１は出力画像を完全に隠蔽しないため、ユーザは複写防止領域３１を通して用紙２１上に出力された画像や文字を容易に判読することができる。
【００３１】
一方、複写防止領域３１が設けられた用紙２１がモノクロ複写された場合、複写防止領域３１は図２（ｂ）のように黒くつぶれて出力され、複写防止領域３１内の画像や文字は判読不可能となる。即ち、重要書類、機密書類などを出力する場合、複写防止領域３１を形成しておくことにより、モノクロ複写機による不正複写や無断複写を防止することができる。
【００３２】
本実施形態では、画像形成装置としてモノクロタイプのデジタル複写機について説明したが、タンデム式のカラー複写機やアナログ方式のモノクロ複写機等、他のタイプの複写機、或いはファクシミリやインクジェットプリンタ、レーザプリンタ等の画像形成装置にも適用できる。しかし、例えばカラー画像形成装置に適用した場合は、塗布されるインクと同系色の画像が複写防止領域に重なると、出力されたオリジナル画像の視認性が悪くなってしまう。
【００３３】
そこで、複写防止領域を形成する所定色に対して視認可能であり、且つモノクロ複写時には所定色と識別不能となるような補色関係にある色データ（以下、補色データという）を記憶手段２９に記憶しておき、複写防止領域内に存在する所定色と同系色の画像データを予め補色データに変換しておくことが望ましい。
【００３４】
複写防止領域３１内に存在する同系色の文字Ｗの画像データを補色データに変換せずに出力した場合、図３（ａ）のように文字Ｗの境界が不明瞭となってオリジナル画像の視認性が低下する。一方、補色データに変換して出力した場合、図３（ｂ）のように文字Ｗの視認性を確保することができる。なお、画像データの変換は、図３（ｃ）のように画像を補色で縁取りするなど輪郭を強調するような変換としてもよい。
【００３５】
また、インクの色及び濃度についても、上記の条件を満たすような種々の色インクを適宜最適な濃度に設定して使用できるが、モノクロ複写時に完全に黒つぶれとなる色インクを用いて複写防止領域３１を形成した場合、不正複写防止効果は高くなるものの、出力画像に対する隠蔽性が強くなってオリジナル画像の視認性が低下することとなり、反対に隠蔽性を弱めてオリジナル画像の視認性を確保しようとすれば、モノクロ複写時に複写防止領域３１がハーフトーンとして出力され、複写防止領域内の濃色画像が判読されてしまうおそれが生じる。そこで、このような場合は複写防止領域３１内の全ての画像データを予め補色データに変換しておくことが好ましい。
【００３６】
図４（ａ）に示すような、複写防止領域３１内に同系色の画像Ｗ１及び濃色の画像Ｗ２を含むオリジナル画像において、同系色の画像データのみを補色データに変換した場合、図４（ｂ）に示すように、オリジナル画像における同系色の画像Ｗ１の視認性を向上させることができるものの、複写防止領域３１がモノクロ複写時に完全に黒つぶれに出力されない場合は、複写防止領域３１内の濃色の画像Ｗ２は図４（ｃ）のようにモノクロ複写時に識別可能となってしまう。一方、複写防止領域３１内の全ての画像データを補色データに変換した場合、図４（ｄ）に示すようにオリジナル画像におけるＷ１、Ｗ２の視認性を確保するとともに、複写防止領域３１内の濃色の画像Ｗ２は図４（ｅ）のようにモノクロ複写時に識別不能となる。
【００３７】
これにより、モノクロ複写時に黒つぶれとなる程度まで色インクの隠蔽性が高くない場合でも、複写防止領域３１はモノクロ複写時において内在する画像とともに全体が均一なハーフトーンとして出力されるため、複写防止領域３１内の画像を識別不可能とすることができる。また、モノクロタイプの画像形成装置の場合においても、画像データを補色データ（この場合は階調データ）に変換し、画像濃度を適宜調整することにより、同様にオリジナル画像の視認性を確保しながらモノクロ複写時の不正複写防止効果を高めることができる。なお、複写防止領域３１外の画像の視認性低下を抑えるため、画像データを変換する範囲は複写防止領域３１が形成される範囲に合わせておくことが好ましい。
【００３８】
本実施形態においては、図１に示したように、インク塗布手段３０は定着部１４の下流側に設けられている。インク塗布手段３０を画像形成部Ｐと定着部１４との間に設けた場合、画像形成部Ｐにより用紙２１上に転写されたトナー像が定着される前に色インクが塗布されることとなり、色インク塗布によるトナー像の乱れが発生してしまう。そのため、本実施形態のようにインク塗布手段３０を定着部１４の下流側に設け、トナー像が用紙に定着された後に色インクを塗布して複写防止領域３１を形成するか、或いは、インク塗布手段３０を画像形成部Ｐの上流側に設け、画像形成前に予め複写防止領域３１を形成しておく必要がある。
【００３９】
画像形成前に複写防止領域３１を形成しておく場合、複写防止領域３１のインク層の上に所望の画像を重ねて形成することができ、出力画像が複写防止領域３１により隠蔽されるおそれがないため複写防止領域３１内の画像の視認性が向上するが、形成された複写防止領域３１を画像形成前に乾燥させる乾燥工程が必要となる。従って、トナー像の定着後に複写防止領域３１を形成する本実施形態の構成とすることが好ましい。
【００４０】
また、用紙２１の全面を複写防止領域３１とすることも可能であるが、図２のように、モノクロ複写後において画像や文字が判読不可能となるような所定の領域に形成すれば不正複写防止効果は十分であり、また複写前のオリジナル画像の判読性も向上するとともに色インクの消費量も低減できる。なお、不正複写防止効果を確実なものとするためには、用紙２１の１／２以上の領域に複写防止領域３１を形成することが好ましい。
【００４１】
なお、ここでは複写防止領域３１を縦縞状に形成したが、例えば横縞状、マトリクス状など、用紙２１の全面を網羅するような種々のパターンとすることができる。また、用紙２１上の画像の位置を検知する出力画像検知手段を設けておき、画像や文字が出力された部分にのみ複写防止領域３１を形成する構成としてもよい。
【００４２】
次に、本実施形態の画像形成装置の動作について説明する。図５は、第１実施形態の画像形成装置による画像形成手順を示すフローチャートである。図１を参照しながら、図５のステップに従い画像形成装置の画像形成操作について説明する。この操作手順では、まず、ユーザにより操作パネル２８が操作され、画像形成動作が開始される（ステップＳ１）。このとき、複写防止領域３１を形成する「不正コピー防止処理」を実行するか否かも同時に入力される。次に、データ入力手段２５により所望の画像が取り込まれ、データ変換手段２６により書き込みデータに変換される（ステップＳ２）。書き込みデータは画像形成部Ｐに送信され、用紙２１上にトナー像が形成される（ステップＳ３）。
【００４３】
形成されたトナー像は定着部１４において用紙２１上に定着される（ステップＳ４）。そして、ステップ１において「不正コピー防止処理」の実行が入力されているか否かが判断され（ステップＳ５）、「不正コピー防止処理」を実行する場合はインク塗布手段３０により用紙２１上の所定領域に色インクを塗布して複写防止領域３１が形成された後（ステップＳ６）、排出ローラ２３を介して排出トレイ２４に排出される（ステップＳ７）。
【００４４】
一方、ステップＳ５において「不正コピー防止処理」を実行しない場合は用紙２１をそのまま排出トレイ２４に排出し（ステップＳ７）、処理を終了する。なお、画像形成前に複写防止領域を形成しておく場合は、「不正コピー防止処理」を実行するか否かの判断（ステップＳ５）及び色インク塗布による複写防止領域３１の形成（ステップＳ６）を、トナー像形成工程（ステップＳ３）の前に行うこととすればよい。
【００４５】
図６は、本実施形態の画像形成装置における画像形成動作の他の例を示すフローチャートである。この例においては、予め複写防止領域が形成される部分の画像データを補色データに変換する場合の画像形成操作について説明する。まず、ユーザにより操作パネル２８が操作され、画像形成動作が開始される（ステップＳ１）。このとき、複写防止領域３１を形成する「不正コピー防止処理」を実行するか否かも同時に入力される。次に、データ入力手段２５により所望の画像が取り込まれ、データ変換手段２６により書き込みデータに変換される（ステップＳ２）。このとき、ステップＳ１において「不正コピー防止処理」の実行が入力されているか否かが判断される（ステップＳ３）。
【００４６】
「不正コピー防止処理」を実行する場合は、複写防止領域３１が形成される部分の全ての画像データを記憶手段２９に記憶された補色データ（階調データ）に変換し（ステップＳ４）、出力画像を所定のハーフトーン画像に変換する。そして、書き込みデータが画像形成部Ｐに送信され、感光体ドラム５上にトナー像が形成された後、用紙２１上に転写される（ステップＳ５）。転写されたトナー像は定着部１４において用紙２１上に定着され（ステップＳ６）、インク塗布手段３０により用紙２１上の所定領域に色インクを塗布して複写防止領域３１が形成された後（ステップＳ７）、排出ローラ２３を介して排出トレイ２４に排出される（ステップＳ８）。
【００４７】
一方、ステップＳ３において「不正コピー防止処理」を実行しない場合は画像データの変換は行われず、そのまま感光体ドラム５上へのトナー像の形成及び用紙２１上への転写が行われる（ステップＳ９）。形成されたトナー像は定着部１４において用紙２１上に定着され（ステップＳ１０）、インク塗布手段３０によるインク塗布は行わずに排出ローラ２３を介して排出トレイ２４に排出し（ステップＳ８）、処理を終了する。なお、ここではモノクロタイプの画像形成装置の動作について説明したが、カラー画像形成装置についても全く同様に説明される。カラー画像形成装置の場合、ステップＳ４で複写防止領域内の同系色の画像データのみを補色データに変換する構成としてもよい。
【００４８】
次に、本発明の第２実施形態について説明する。図７は第２実施形態に係る画像形成装置の構成を示す概略図であり、図８は第２実施形態に係る画像形成装置の構成を示すブロック図である。図１と共通する部分には同一の符号を付して説明を省略する。本実施形態では、画像形成装置１としてタンデム式のカラー画像形成装置について示しており、画像形成装置１内には４つの画像形成部Ｐａ、Ｐｂ、Ｐｃ及びＰｄが、搬送ベルト８の上流側（図７では右側）から順に配設されている。これらの画像形成部Ｐａ〜Ｐｄは、異なる４色（シアン、マゼンタ、イエロー及びブラック）の画像に対応して設けられており、後述する定着部１４とともに画像形成手段４０（図８参照）を構成し、それぞれ帯電、露光、現像及び転写の各工程によりシアン、マゼンタ、イエロー及びブラックの画像を順次形成する。
【００４９】
この画像形成部Ｐａ〜Ｐｄには、各色のトナー像を担持する感光体ドラム５ａ、５ｂ、５ｃ及び５ｄが配設されており、これらの感光体ドラム５ａ〜５ｄ上に形成されたトナー像が、各画像形成部に隣接して移動する搬送ベルト８によって担持・搬送される用紙２１上に転写され、さらに、定着部１４において用紙２１上に定着された後、装置本体より排出される構成となっている。感光体ドラム５ａ〜５ｄを図７において時計回りに回転させながら、各感光体ドラム５ａ〜５ｄに対する画像形成プロセスが実行される。
【００５０】
次に、画像形成部Ｐａ〜Ｐｄについて説明する。回転自在に配設された感光体ドラム５ａ〜５ｄの周囲及び上方には、感光体ドラム５ａ〜５ｄを帯電させる帯電装置２ａ、２ｂ、２ｃ及び２ｄと、感光体ドラム５ａ〜５ｄに画像情報を露光するＬＥＤヘッド１７ａ、１７ｂ、１７ｃ及び１７ｄと、感光体ドラム５ａ〜５ｄ上にトナー像を形成する現像器３ａ、３ｂ、３ｃ及び３ｄと、感光体ドラム５ａ〜５ｄ上に残留したトナーを除去するクリーニング部１８ａ、１８ｂ、１８ｃ及び１８ｄが設けられている。
【００５１】
先ず、帯電装置２ａ〜２ｄによって感光体ドラム５ａ〜５ｄの表面を一様に帯電させ、次いでＬＥＤヘッド１７ａ〜１７ｄによって光照射し、各感光体ドラム５ａ〜５ｄ上に画像信号に応じた静電潜像を形成する。現像装置３ａ〜３ｄには、それぞれシアン、マゼンタ、イエロー及びブラックの各色のトナーが補給装置（図示せず）によって所定量充填されている。このトナーは、現像装置３ａ〜３ｄにより感光体ドラム５ａ〜５ｄ上に供給され、静電的に付着することにより、ＬＥＤヘッド１７ａ〜１７ｄからの露光により形成された静電潜像に応じたトナー像が形成される。
【００５２】
トナー像が転写される用紙２１は、装置下部の給紙機構１０内に収容されており、給紙ローラ対３２及びレジストローラ対１２を介して搬送ベルト８上へ供給され、各感光体ドラム５ａ〜５ｄの位置へと搬送される。搬送ベルト８には誘電体樹脂製のシートが用いられ、その両端部を互いに重ね合わせて接合しエンドレス形状にしたベルトや、継ぎ目を有しない（シームレス）ベルトが用いられる。
【００５３】
搬送ベルト８は、上流側の搬送ローラ３３と、下流側の駆動ローラ３４とに掛け渡されており、駆動モータ（図示せず）による駆動ローラ３４の回転に伴い搬送ベルト８が反時計回りに回転を開始すると、用紙２１がレジストローラ対１２から搬送ベルトの最上流側に設けられた吸着ローラ３５を介して搬送ベルト８上へ搬送される。吸着ローラ３５には所定の電圧が印加されており、用紙２１を静電吸着力により搬送ベルト８上に保持する。
【００５４】
このとき画像書き出し信号がＯＮとなり、所定のタイミングにより最上流の感光体ドラム１ａ上に画像形成を行う。そして、感光体ドラム５ａの下部において、所定の転写電圧が印加された転写ローラ４ａで電界付与することにより、感光体ドラム５ａ上のシアンのトナー像が用紙２１上に転写される。その後、この用紙２１は次の画像形成部Ｐｂに搬送され、上記と同様に今度は感光体ドラム５ｂによってマゼンタのトナー像が転写される。
【００５５】
以下、上述と同様の方法により、感光体ドラム５ｃ及び５ｄによってそれぞれイエロー及びブラックのトナー像が転写される。これらの４色の画像は、所定のフルカラー画像形成のために用紙２１に対し予め定められた所定の位置関係をもって形成される。４ｂ、４ｃ及び４ｄは感光体ドラム５ｂ〜５ｄの下部に位置する転写ローラである。４色のトナー像が転写された用紙２１は、搬送ベルト８から離脱し、定着部１４へと搬送される。また、トナー像が転写された後の感光体ドラム５ａ〜５ｄは、引き続き行われる新たな静電潜像の形成に備え、その表面に残留したトナーが各クリーニング部１８ａ〜１８ｄにより除去される。
【００５６】
搬送ベルト８から定着部１４に搬送された用紙２１は、定着ローラ１４ａにより加熱及び加圧されてトナー像が用紙２１の表面に定着され、所定のフルカラー画像が形成される。フルカラー画像が形成された用紙２１は、その後排出ローラ対２３によって排出トレイ２４に排出される。
【００５７】
本実施形態においては、画像形成部Ｐａ〜Ｐｄでトナー像が転写される際に、複写防止領域３１（図２参照）を同時に形成することを特徴とするものである。この構成とすることにより、第１実施形態のようにインク塗布手段３０を別途設ける必要がなくなり、画像形成装置の構造を簡素化することができる。複写防止領域３１は、第１実施形態と同様に領域内の画像や文字が判読可能であり、且つモノクロ複写時には視認不可能となるように出力されることが必要である。このとき、複写防止領域３１と、複写防止領域３１内に存在する画像或いは文字とが同系色であると、出力された画像や文字が正確に視認できなくなる。
【００５８】
そこで、第１実施形態と同様の補色データを変換データとして記憶手段２９に記憶しておき、複写防止領域３１内に同系色の画像或いは文字が存在するときは、その画像データを補色データに変換しておく（図３参照）。例えば複写防止領域３１の色がマゼンタの場合、複写防止領域３１内のマゼンタの画像をシアンに変換して出力する。
【００５９】
複写防止領域３１を形成する画像形成部はＰａ〜Ｐｄのいずれであってもよく、画像形成部Ｐａ〜Ｐｄの二つ以上を用いて複写防止領域３１を形成することにより、複写防止領域３１を所望の色とすることもできる。複写防止領域３１の形成される領域やパターン等については第１実施形態と同様であるため説明は省略する。
【００６０】
なお、複写防止領域３１の色調或いは濃度により、モノクロ複写時に完全な黒つぶれとならない場合は、第１実施形態と同様に、同系色の画像データのみでなく複写防止領域３１内の全ての画像データを予め補色データに変換しておくことが好ましい（図４参照）。
【００６１】
次に、本実施形態の画像形成装置の動作について説明する。図９は、第２実施形態の画像形成装置による画像形成手順を示すフローチャートである。図７及び図８を参照しながら、図９のステップに従い画像形成装置の画像形成操作について説明する。
【００６２】
この操作手順では、まず、ユーザにより操作パネル２８が操作され、画像形成動作が開始される。このとき複写防止領域３１を形成する「不正コピー防止処理」を実行するか否かも同時に入力される（ステップＳ１）。次に、データ入力手段２５により所望の画像が取り込まれる（ステップＳ２）。取り込まれた画像データはデータ変換手段２６により書き込みデータに変換される。このとき、ステップＳ１において「不正コピー防止処理」の実行が入力されているか否かが判断される（ステップＳ３）。
【００６３】
「不正コピー防止処理」を実行する場合は、さらに複写防止領域内に同系色の画像データが存在するか否かが判断され（ステップＳ４）、存在する場合はその画像データを記憶手段２９に記憶された補色データに変換した後（ステップＳ５）、画像及び複写防止領域形成用の書き込みデータを各画像形成部Ｐａ〜Ｐｄへ送信する（ステップＳ６）。一方、ステップＳ４において複写防止領域と同系色の画像データが存在しない場合はデータ変換を行わずに画像及び複写防止領域形成用の書き込みデータを送信する（ステップＳ６）。
【００６４】
次に、送信された書き込みデータに基づいて、画像形成部Ｐａ〜Ｐｄにおいて各色のトナー像及び複写防止領域３１が形成され用紙２１上に転写される（ステップＳ７）。転写されたトナー像及び複写防止領域３１は定着部１４において用紙２１上に定着された後（ステップＳ８）、排出ローラ２３を介して排出トレイ２４に排出され（ステップＳ９）、処理を終了する。一方、ステップＳ２において「不正コピー防止処理」を実行しない場合は、画像データのみを各画像形成部Ｐａ〜Ｐｄへ送信し（ステップＳ１０）、画像形成部Ｐａ〜Ｐｄにおいて各色のトナー像のみが形成され用紙２１上に転写される（ステップＳ１１）。その後、転写されたトナー像は同様に定着部１４において定着され、排出トレイ２４に排出される（ステップＳ８、Ｓ９）。
【００６５】
なお、図６の場合と同様に、予め複写防止領域内に存在する全ての画像データを変換し、モノクロ複写時の画像をより確実に識別不能とする場合は、ステップＳ４の判断を行わず、ステップＳ５で複写防止領域３１内の全ての画像データを補色データに変換すればよい。また、本実施形態においては、画像形成装置としてタンデム式のカラー複写機についてのみ説明したが、本実施形態はレーザプリンタやインクジェットプリンタ等の他のカラー画像形成装置にも適用できるのはもちろんである。
【産業上の利用可能性】
【００６６】
本発明は、画像データを入力するデータ入力手段と、該データ入力手段により入力された画像データを書き込みデータに変換するデータ変換手段と、書き込みデータに基づいて用紙上に画像を出力する画像形成手段と、を備えた画像形成装置において、出力される画像に不正複写防止処理を実行するか否かを入力する入力手段と、画像形成手段による画像出力前若しくは画像出力後の用紙上に色インクを塗布するインク塗布手段と、が設けられており、入力手段より不正複写防止処理の実行が入力された場合、インク塗布手段は、インク層に重なる画像が視認可能であり、且つモノクロ複写時には識別不能に出力される所定色から成る複写防止領域を形成することとする。
【００６７】
これにより、ユーザは複写防止領域に重ねて用紙上に出力された画像や文字を容易に判読することができ、モノクロ複写された場合は複写防止領域内の画像や文字は判読不可能となるため不正複写や無断複写を確実に防止できる。また、特殊な用紙やインクを用いず、さらに複写機側に特別な検知機能を設けておく必要もないため、簡便且つ低コストで不正複写防止処理が可能な画像形成装置を提供することができる。
【００６８】
また、電子写真方式の画像形成装置において、インク塗布手段を定着部の下流側に配置し、定着部により画像が定着された用紙上に色インクを塗布することにより、色インク塗布による不正複写防止処理を行う際にトナー像の画質が劣化するおそれがない。さらにインク塗布手段をインクジェット装置とすれば、インク塗布厚が均一な複写防止領域を形成することができ、インクの塗布むらに起因する画像の視認性や複写防止効果の低下を招くおそれがない。
【００６９】
また、補色データを記憶する記憶手段を設け、データ変換手段により複写防止領域内に存在する所定色と同系色の画像データを画像出力前に補色データに変換するので、複写防止領域内に同系色の画像や文字が存在してもオリジナル画像の視認性を損なうおそれがない。
【００７０】
また、本発明は、画像データを入力するデータ入力手段と、該データ入力手段により入力された画像データを書き込みデータに変換するデータ変換手段と、書き込みデータに基づいて用紙上にカラー画像を出力する画像形成手段と、を備えた画像形成装置において、出力される画像に不正複写防止処理を実行するか否かを入力する入力手段と、所定色に対して識別可能であり、且つモノクロ複写時には所定色と識別不能に出力されるような補色データを記憶する記憶手段と、が設けられており、入力手段より不正複写防止処理の実行が入力された場合、画像形成手段は、所定色から成る複写防止領域を画像出力と同時に形成するとともに、データ変換手段は、複写防止領域内に存在する所定色と同系色の画像データを、画像出力前に補色データに変換することとする。
【００７１】
これにより、複写防止領域を形成する手段を別途設ける必要がなくなり、画像形成装置の構造の簡素化及び低コスト化に貢献する。さらに、複写防止領域内に同系色の画像が存在する場合、同系色の画像を、オリジナル画像においては識別可能であり且つモノクロ複写時には複写防止領域と識別不能に出力される補色に変換することにより、オリジナル画像における複写防止領域内の画像や文字の視認性をより高めることができる。
【００７２】
また、複写防止領域内の全ての画像を画像出力前に補色に変換することにより、モノクロ複写時に複写防止領域が完全に黒つぶれとならない場合でも複写防止領域内の画像は識別不能となるため、オリジナル画像の視認性を確保しながらモノクロ複写時における不正複写防止効果を確実なものとする。
【００７３】
また、複写防止領域を用紙上の１／２以上の領域に形成することにより、不正複写防止効果をより一層確実なものとする。
【図面の簡単な説明】
【００７４】
【図１】は、本発明の第１実施形態に係る画像形成装置の全体構成を示す概略図である。
【図２】は、複写防止領域が設けられた画像及びその画像をモノクロ複写した状態を示す図である。
【図３】は、複写防止領域内に存在する同系色の画像データを変換せずに出力した場合と変換して出力した場合とを示す図である。
【図４】は、複写防止領域内に存在する同系色の画像データのみを変換した場合と全ての画像データを変換した場合とを示す図である。
【図５】は、第１実施形態の画像形成装置による画像形成手順を示すフローチャートである。
【図６】は、第１実施形態の画像形成装置による画像形成手順の他の例を示すフローチャートである。
【図７】は、本発明の第２実施形態に係る画像形成装置の全体構成を示す概略図である。
【図８】は、第２実施形態の画像形成装置の構成を示すブロック図である。
【図９】は、第２実施形態の画像形成装置による画像形成手順を示すフローチャートである。
【符号の説明】
【００７５】
１                画像形成装置
Ｐ、Ｐａ〜Ｐｄ    画像形成部
２ａ〜２ｄ        帯電装置
３ａ〜３ｄ        現像装置
５、５ａ〜５ｄ    感光体ドラム
７                露光装置
１０              給紙機構
１４              定着部
１７ａ〜１７ｄ    ＬＥＤヘッド
２１              用紙
２５              データ入力手段
２６              データ変換手段
２７              制御手段
２８              操作パネル（入力手段）
２９              記憶手段
３０              インク塗布手段
３１              複写防止領域
【図１】
2006010721.tif 000003
【図２】
2006010721.tif 000004
【図３】
2006010721.tif 000005
【図４】
2006010721.tif 000006
【図５】
2006010721.tif 000007
【図６】
2006010721.tif 000008
【図７】
2006010721.tif 000009
【図８】
2006010721.tif 000010
【図９】
2006010721.tif 000011